【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
一酸化二窒素と燃料との混合物の分解および燃焼から仕事を取り出す機関であって、
前記混合物内の前記一酸化二窒素は、窒素と酸素とに、窒素は２、酸素は１となる割合で分解し、
前記混合物の燃焼および分解から発生した使用済ガスは、１ｋＷｈの仕事量当たり０．７ｋｇ以下の二酸化炭素を含有する機関。
【請求項２】
前記混合物内の前記燃料の燃焼は、前記一酸化窒素が窒素と酸素とに分解することを助ける請求項１に記載の機関。
【請求項３】
前記一酸化二窒素の、前記燃料に対する質量比は、燃料１につき、一酸化二窒素が９より大きくなる割合である請求項１に記載の機関。
【請求項４】
当該機関は、それの動力のうちの５０％より多い部分を、前記一酸化二窒素の分解から取り出す請求項１に記載の機関。
【請求項５】
前記燃料は、炭化水素である請求項１に記載の機関。
【請求項６】
前記混合物は、さらに、水を、質量で表現すると、一酸化二窒素１００ごとに、水が３０未満となる割合で含有し、
前記水は、当該機関の作動温度を低下させる請求項１に記載の機関。
【請求項７】
前記一酸化二窒素および前記燃料は、互いに異なるコンテナ内に貯蔵されるとともに、当該機関へのインジェクションに先立って混合される請求項１に記載の機関。
【請求項８】
前記一酸化二窒素および前記燃料は、別々に当該機関内にインジェクトされる請求項１に記載の機関。
【請求項９】
一酸化二窒素と燃料との混合物である一酸化二窒素混合燃料であって、
前記一酸化二窒素を、質量で表現すると、燃料１ごとに、一酸化二窒素が９より大きくなる割合で含有し、
前記混合物内の前記一酸化二窒素は、窒素と酸素とに、窒素は２、酸素は１となる割合で分解するとともに、エネルギーを放出するように構成され、
前記燃料の燃焼および前記一酸化二窒素の分解は、１ｋＷｈの仕事量当たり０．７ｋｇ以下の二酸化炭素を発生させる一酸化二窒素混合燃料。
【請求項１０】
前記混合物内の前記燃料の燃焼が、前記一酸化二窒素が窒素と酸素とに分解するための触媒として作用する請求項９に記載の一酸化二窒素混合燃料。
【請求項１１】
前記燃料は、炭化水素である請求項９に記載の一酸化二窒素混合燃料。
【請求項１２】
さらに、水を、質量で表現すると、一酸化二窒素１００ごとに、水が３０未満となる割合で含有する請求項９に記載の一酸化二窒素混合燃料。
【請求項１３】
一酸化二窒素と燃料との混合物を機関に供給する供給工程と、
前記燃料を前記機関内において点火して燃焼させる点火／燃焼工程と、
前記一酸化二窒素を前記機関内において分解する分解工程と、
前記分解する一酸化二窒素と前記燃焼する燃料から仕事を取り出す取出し工程と、
１ｋＷｈの仕事量当たり０．７ｋｇ以下の二酸化炭素を含有する使用済ガスを排出する排出工程と
を含む方法。
【請求項１４】
さらに、窒素分子および酸素分子を含有する使用済ガスを排出する排出工程を含む請求項１３に記載の方法。
【請求項１５】
前記一酸化二窒素は、窒素と酸素とに、窒素は２、酸素は１となる割合で分解する請求項１３に記載の方法。
【請求項１６】
前記燃料の燃焼は、前記一酸化窒素が窒素と酸素とに分解することを助ける請求項１３に記載の方法。
【請求項１７】
前記燃料は、炭化水素である請求項１３に記載の方法。
【請求項１８】
前記混合物は、前記一酸化二窒素を、質量で表現すると、燃料１ごとに、一酸化二窒素が９より大きくなる割合で含有する請求項１３に記載の方法。
【請求項１９】
前記供給工程は、前記機関へのインジェクションに先立ち、前記一酸化二窒素と前記燃料とを混合する混合工程を含む請求項１３に記載の方法。
【請求項２０】
前記供給工程は、前記一酸化二窒素と前記燃料とを前記機関内に別々にインジェクトするインジェクション工程を含む請求項１３に記載の方法。
【手続補正２】
【補正対象書類名】明細書
【補正対象項目名】０００８
【補正方法】変更
【補正の内容】
【０００８】
他のいくつかの実施態様も本明細書に記載されるとともに特許請求の範囲の欄に記載されている。
（態様１）  一酸化二窒素と燃料との混合物の分解および燃焼から仕事を取り出す機関であって、
前記混合物内の前記一酸化二窒素は、窒素と酸素とに、窒素は２、酸素は１となる割合で分解し、
前記混合物の燃焼および分解から発生した使用済ガスは、１ｋＷｈの仕事量当たり０．７ｋｇ以下の二酸化炭素を含有する機関。
（態様２）  前記混合物は、前記一酸化二窒素を、質量で表現すると、燃料１ごとに、一酸化二窒素が１０より大きくなる割合で含有する態様１に記載の機関。
（態様３）  前記混合物内の前記燃料の燃焼は、前記一酸化窒素が窒素と酸素とに分解することを助ける態様１に記載の機関。
（態様４）  前記一酸化二窒素の、前記燃料に対する質量比は、燃料１につき、一酸化二窒素が１０より大きくなる割合である態様１に記載の機関。
（態様５）  前記一酸化二窒素の、前記燃料に対する質量比は、燃料１につき、一酸化二窒素が９より大きくなる割合である態様１に記載の機関。
（態様６）  前記一酸化二窒素の、前記燃料に対する質量比は、燃料１につき、一酸化二窒素が８より大きくなる割合である態様１に記載の機関。
（態様７）  前記一酸化二窒素の、前記燃料に対する質量比は、燃料１につき、一酸化二窒素が７より大きくなる割合である態様１に記載の機関。
（態様８）  前記一酸化二窒素の、前記燃料に対する質量比は、燃料１につき、一酸化二窒素が６より大きくなる割合である態様１に記載の機関。
（態様９）  前記一酸化二窒素の、前記燃料に対する質量比は、燃料１につき、一酸化二窒素が５より大きくなる割合である態様１に記載の機関。
（態様１０）  前記一酸化二窒素の、前記燃料に対する質量比は、燃料１につき、一酸化二窒素が４より大きくなる割合である態様１に記載の機関。
（態様１１）  当該機関は、それの動力のうちの５０％より多い部分を、前記一酸化二窒素の分解から取り出す態様１に記載の機関。
（態様１２）  前記燃料は、炭化水素である態様１に記載の機関。
（態様１３）  前記混合物は、さらに、水を、質量で表現すると、一酸化二窒素１００ごとに、水が３０未満となる割合で含有し、
前記水は、当該機関の作動温度を低下させる態様１に記載の機関。
（態様１４）  前記一酸化二窒素および前記燃料は、互いに異なるコンテナ内に貯蔵されるとともに、当該機関へのインジェクションに先立って混合される態様１に記載の機関。
（態様１５）  前記一酸化二窒素および前記燃料は、別々に当該機関内にインジェクトされる態様１に記載の機関。
（態様１６）  自動車に組み込まれる態様１に記載の機関。
（態様１７）  回転シャフトの仕事を発生させる発電所に組み込まれる態様１に記載の機関。
（態様１８）  一酸化二窒素と燃料との混合物である一酸化二窒素混合燃料であって、
前記一酸化二窒素を、質量で表現すると、燃料１ごとに、一酸化二窒素が９より大きくなる割合で含有し、
前記混合物内の前記一酸化二窒素は、窒素と酸素とに、窒素は２、酸素は１となる割合で分解するとともに、エネルギーを放出するように構成される一酸化二窒素混合燃料。
（態様１９）  前記混合物内の前記燃料の燃焼および前記一酸化二窒素の分解により、１ｋＷｈの仕事量当たり０．７ｋｇ未満の二酸化炭素が発生する態様１８に記載の一酸化二窒素混合燃料。
（態様２０）  前記混合物内の前記燃料の燃焼が、前記一酸化二窒素が窒素と酸素とに分解するための触媒として作用する態様１８に記載の一酸化二窒素混合燃料。
（態様２１）  前記燃料は、炭化水素である態様１８に記載の一酸化二窒素混合燃料。
（態様２２）  さらに、水を、質量で表現すると、一酸化二窒素１００ごとに、水が３０未満となる割合で含有する態様１８に記載の一酸化二窒素混合燃料。
（態様２３）  一酸化二窒素と燃料との混合物を機関に供給する供給工程と、
前記燃料を前記機関内において点火して燃焼させる点火／燃焼工程と、
前記一酸化二窒素を前記機関内において分解する分解工程と、
前記分解する一酸化二窒素と前記燃焼する燃料から仕事を取り出す取出し工程と、
１ｋＷｈの仕事量当たり０．７ｋｇ以下の二酸化炭素を含有する使用済ガスを排出する排出工程と
を含む方法。
（態様２４）  さらに、窒素分子および酸素分子を含有する使用済ガスを排出する排出工程を含む態様２３に記載の方法。
（態様２５）  前記一酸化二窒素は、窒素と酸素とに、窒素は２、酸素は１となる割合で分解する態様２３に記載の方法。
（態様２６）  前記燃料の燃焼は、前記一酸化窒素が窒素と酸素とに分解することを助ける態様２３に記載の方法。
（態様２７）  前記燃料は、炭化水素である態様２３に記載の方法。
（態様２８）  前記混合物は、前記一酸化二窒素を、質量で表現すると、燃料１ごとに、一酸化二窒素が９より大きくなる割合で含有する態様２３に記載の方法。
（態様２９）  前記供給工程は、前記機関へのインジェクションに先立ち、前記一酸化二窒素と前記燃料とを混合する混合工程を含む態様２３に記載の方法。
（態様３０）  前記供給工程は、前記一酸化二窒素と前記燃料とを前記機関内に別々にインジェクトするインジェクション工程を含む態様２３に記載の方法。